(57)【要約】【課題】映像音出力装置外部のスピーカである外部スピーカを制御する外部スピーカ制御装置の電源がオフ状態からオン状態に変化した場合、内部スピーカと外部スピーカとの何れか一方からのみ音を出力させる外部スピーカ制御装置を提供する。【解決手段】アンプ２の電源のオフ状態からオン状態への変化を検出するマイコン２０２と、マイコン２０２が電源がオフ状態からオン状態に変化したことを検出した場合、音出力形態を示す情報を出力することを要求する指示を映像音出力装置に出力するとともに、映像音出力装置からの音出力形態を示す情報を受信するＨＤＭＩ／ＣＥＣ通信部２０１とを備え、マイコン２０２は、音出力形態を示す情報に基づいて、外部スピーカ３からの音の出力を制御する。【選択図】図３
2008061251.tif 000002
【特許請求の範囲】
【請求項１】
映像及び音を出力する映像音出力装置であって、
音を出力する内部スピーカと、
情報を保持する保持手段と、
前記映像音出力装置外部から指示を受け付ける受付手段と、
前記受付手段が受け付ける音の出力形態を特定する形態特定指示に基づいて、複数の音出力形態の何れか一つを示す情報を前記保持手段に保持させる管理手段と、
前記映像音出力装置外部のスピーカである外部スピーカを制御する外部スピーカ制御装置から指示を受信する受信手段と、
前記受信手段が音出力形態を示す情報を出力することを要求する指示を前記外部スピーカ制御装置から受信した場合、前記保持手段に保持されている音出力形態を示す情報を前記外部スピーカ制御装置に出力する出力手段と
を備える映像音出力装置。
【請求項２】
前記管理手段は、前記形態特定指示に基づいて、（ａ）音を前記内部スピーカから出力させる第１の音出力形態を示す情報と、（ｂ）音を前記外部スピーカから出力させる第２の音出力形態を示す情報との何れか一つを、前記保持手段に保持させる
請求項１に記載の映像音出力装置。
【請求項３】
更に、（ａ）音を前記内部スピーカから出力させる第１の音出力形態を示す情報が前記保持手段に保持されている場合、前記内部スピーカから音を出力させ、（ｂ）音を前記外部スピーカから出力させる第２の音出力形態を示す情報が前記保持手段に保持されている場合、前記内部スピーカから音を出力させない制御手段を備える
請求項１に記載の映像音出力装置。
【請求項４】
更に、前記映像音出力装置の電源と前記外部スピーカ制御装置の電源とが同時にオフ状態からオン状態へ変化したことを検出する検出手段を備え、
前記出力手段は、前記検出手段が前記映像音出力装置の電源と前記外部スピーカ制御装置の電源とが同時にオフ状態からオン状態に変化したことを検出した場合、前記保持手段に保持されている前記音出力形態を示す情報を、前記映像音出力装置外部のスピーカを制御する外部スピーカ制御装置に出力する
請求項１に記載の映像音出力装置。
【請求項５】
更に、前記映像音出力装置の音出力の状態が変更されたことを検出する検出手段を備え、
前記制御手段は、前記検出手段が前記映像音出力装置の音出力の状態が変更されたことを検出した場合、（ａ）音を前記内部スピーカから出力させる第１の音出力形態を示す情報が前記保持手段に保持されているとき、前記内部スピーカから音を出力させ、（ｂ）音を前記外部スピーカから出力させる第２の音出力形態を示す情報が前記保持手段に保持されているとき、前記内部スピーカから音を出力させない
請求項３に記載の映像音出力装置。
【請求項６】
前記受付手段は、前記内部スピーカから音が出力されない状態にするための指示である消音指示、または前記内部スピーカから音が出力されない状態を解除するための指示である消音解除指示を受け付けない
請求項１に記載の映像音出力装置。
【請求項７】
映像音出力装置外部のスピーカである外部スピーカを制御する外部スピーカ制御装置であって、
前記外部スピーカ制御装置の電源のオフ状態からオン状態への変化を検出する検出手段と、
前記検出手段が前記電源がオフ状態からオン状態に変化したことを検出した場合、音出力形態を示す情報を出力することを要求する指示を前記映像音出力装置に出力する出力手段と、
情報を前記映像音出力装置から受信する受信手段と、
前記受信手段が受信する音出力形態を示す情報に基づいて、前記外部スピーカからの音の出力を制御する制御手段と
を備える外部スピーカ制御装置。
【請求項８】
前記制御手段は、（ａ）前記受信手段が音を前記映像音出力装置内部のスピーカから出力させる第１の音出力形態を示す情報を受信した場合、前記外部スピーカから音を出力させず、（ｂ）前記受信手段が音を前記外部スピーカから出力させる第２の音出力形態を示す情報を受信した場合、前記外部スピーカから音を出力させる
請求項７に記載の外部スピーカ制御装置。
【請求項９】
前記検出手段は、前記映像音出力装置の電源と前記外部スピーカ制御装置の電源とが同時にオフ状態からオン状態へ変化したことを検出し、
前記出力手段は、前記検出手段が前記映像音出力装置の電源と前記外部スピーカ制御装置の電源とが同時にオフ状態からオン状態に変化したことを検出した場合、音出力形態を示す情報を出力することを要求する指示を前記映像音出力装置に出力しない
請求項７に記載の外部スピーカ制御装置。
【請求項１０】
前記検出手段は、前記外部スピーカ制御装置の音出力の状態が変更されたことを検出し、
前記出力手段は、前記検出手段が前記外部スピーカ制御装置の音出力の状態が変更されたことを検出した場合、音出力形態を示す情報を出力することを要求する指示を前記映像音出力装置に出力する
請求項７に記載の外部スピーカ制御装置。
【請求項１１】
更に、前記外部スピーカ制御装置外部から指示を受け付ける受付手段を備え、
前記受付手段は、前記外部スピーカから音が出力されない状態にするための指示である消音指示、または前記外部スピーカから音が出力されない状態を解除するための指示である消音解除指示を受け付けない
請求項７に記載の外部スピーカ制御装置。
【請求項１２】
音の出力形態を特定する指示に基づいて、複数の音出力形態の何れか一つを示す情報を保持手段に保持させる管理ステップと、
映像音出力装置外部のスピーカを制御する外部スピーカ制御装置から指示を受信する受信ステップと、
前記受信ステップにおいて音出力形態を示す情報を出力することを要求する指示を前記外部スピーカ制御装置から受信した場合、前記保持手段に保持されている音出力形態を示す情報を前記外部スピーカ制御装置に出力する出力ステップと
を含む音出力形態通知方法。
【請求項１３】
映像音出力装置外部のスピーカを制御する外部スピーカ制御装置の電源のオフ状態からオン状態への変化を検出する検出ステップと、
前記検出ステップにおいて前記電源がオフ状態からオン状態に変化したことを検出した場合、音出力形態を示す情報を出力することを要求する指示を前記映像音出力装置に出力する出力ステップと、
情報を前記映像音出力装置から受信する受信ステップと、
前記受信ステップにおいて受信する音出力形態を示す情報に基づいて、前記外部のスピーカからの音の出力を制御する制御ステップと
を含む外部スピーカ制御方法。
【請求項１４】
音の出力形態を特定する指示に基づいて、複数の音出力形態の何れか一つを示す情報を保持手段に保持させる管理手段と、
映像音出力装置外部のスピーカを制御する外部スピーカ制御装置から指示を受信する受信手段と、
前記受信手段が音出力形態を示す情報を出力することを要求する指示を前記外部スピーカ制御装置から受信した場合、前記保持手段に保持されている音出力形態を示す情報を前記外部スピーカ制御装置に出力する出力手段と
を備える集積回路。
【請求項１５】
映像音出力装置外部のスピーカを制御する外部スピーカ制御装置の電源のオフ状態からオン状態への変化を検出する検出手段と、
前記検出手段が前記電源がオフ状態からオン状態に変化したことを検出した場合、音出力形態を示す情報を出力することを要求する指示を前記映像音出力装置に出力する出力手段と、
情報を前記映像音出力装置から受信する受信手段と、
前記受信手段が受信する音出力形態を示す情報に基づいて、前記外部のスピーカからの音の出力を制御する制御手段と
を備える集積回路。
【請求項１６】
音の出力形態を特定する指示に基づいて、複数の音出力形態の何れか一つを示す情報を保持手段に保持させる管理ステップと、
映像音出力装置外部のスピーカを制御する外部スピーカ制御装置から指示を受信する受信ステップと、
前記受信ステップにおいて音出力形態を示す情報を出力することを要求する指示を前記外部スピーカ制御装置から受信した場合、前記保持手段に保持されている音出力形態を示す情報を前記外部スピーカ制御装置に出力する出力ステップと
をコンピュータに実行させるためのプログラム。
【請求項１７】
映像音出力装置外部のスピーカを制御する外部スピーカ制御装置の電源のオフ状態からオン状態への変化を検出する検出ステップと、
前記検出ステップにおいて前記電源がオフ状態からオン状態に変化したことを検出した場合、音出力形態を示す情報を出力することを要求する指示を前記映像音出力装置に出力する出力ステップと、
情報を前記映像音出力装置から受信する受信ステップと、
前記受信ステップにおいて受信する音出力形態を示す情報に基づいて、前記外部のスピーカからの音の出力を制御する制御ステップと
をコンピュータに実行させるためのプログラム。
【発明の詳細な説明】
【技術分野】
【０００１】
本発明は、映像及び音を出力する映像音出力装置と、映像音出力装置外部のスピーカを制御する外部スピーカ制御装置とに関する。
【背景技術】
【０００２】
近年、ユーザは、テレビ等の映像音出力装置に複数のスピーカを接続したＡＶアンプを接続し、テレビやセットトップボックス（ＳＴＢ）等のチューナにより受信される放送コンテンツの音や、ＤＶＤプレーヤ／ＤＶＤレコーダ等により再生される映像コンテンツの音を、ＡＶアンプに接続した複数のスピーカから出力させて、一般にサラウンド音と呼ばれるような臨場感のある音を楽しむことができる。
【０００３】
ユーザは、サラウンド音を出力させようとする場合、テレビのリモコンボタン又は本体ボタンを操作してテレビのスピーカ（内部スピーカ）から出力されている音を消し（ミュートし）、ＡＶアンプのリモコンボタン又は本体ボタンを操作して、ＡＶアンプに接続されたスピーカ（外部スピーカ）から、テレビにより表示されるコンテンツを出力している機器からの入力音を出力させる。この際、ユーザは、まず、テレビのリモコンボタン又は本体ボタンを操作し、次に、ＡＶアンプのリモコンボタン又は本体ボタンを操作する必要があり、複数の機器に対してそれぞれ必要な操作を行なわなければならないので、使い勝手がよくない。
【０００４】
この問題を解決するために、ＡＶアンプに接続されたスピーカ（外部スピーカ）から音を出力させる際、テレビに対する操作とＡＶアンプに対する操作とを簡略化するために、ＡＶアンプの電源スイッチのオン／オフ操作によって、音の出力先を切り換えるＡＶアンプが実現されている。
【０００５】
例えば、特許文献１において、テレビ受信装置と組み合わせてサラウンドシステムを構成することが可能で、サラウンドシステムを利用するときと、テレビ受信装置のみを利用するときとの切り換え操作を極めて容易にするためのＡＶアンプが開示されている。
【０００６】
図５に、特許文献１により開示されているＡＶアンプのブロック図を示す。
図５において、サラウンドシステムの利用時は、ＡＶアンプ４０の電源スイッチ４１がオンされ、切り換えスイッチ５０がセンタ音増幅回路４８側に切り換えられ、ＶＴＲやＬＤ等の再生機器から音入力端子４３に供給されている音信号がドルビー・サラウンド・プロセッサ（ＤＳＰ）４５を介し、出力端子４９を経てＡＶアンプ４０に接続されているスピーカに供給される。テレビ受信装置のみを利用する時は、ＡＶアンプ４０の電源スイッチ４１がオフされ、切り換えスイッチ５０がテレビ音入力端子５１側に切り換えられ、テレビ受信装置の増幅回路で処理されたテレビ音が、ＡＶアンプ４０を介してテレビ受信装置のスピーカ（内部スピーカ）に供給される。
【特許文献１】特開平５−１５３５２０号公報
【発明の開示】
【発明が解決しようとする課題】
【０００７】
このように、特許文献１の方法では、ユーザは、ＡＶアンプの電源スイッチをオン状態とオフ状態との間で切り換えることにより、テレビに内蔵されているスピーカ（内部スピーカ）から音を出力させることと、テレビ外部のスピーカ（外部スピーカ）から音を出力させることとの何れかに制御することができる。
【０００８】
しかしながら、ＡＶアンプの電源スイッチがオフ状態からオン状態に変化した場合であっても、その変化後にテレビの電源がオンされると、内部スピーカから音を出力するテレビも存在する。この場合、音は内部スピーカからも外部スピーカからも出力される。また、ユーザがテレビ本体又はＡＶアンプ本体を直接操作することにより、音が内部スピーカからも外部スピーカからも出力されない状態も発生しうる。ユーザは、内部スピーカと外部スピーカとの何れか一方からのみ音が出力されることを希望する。
【０００９】
本発明は、映像音出力装置外部のスピーカである外部スピーカを制御する外部スピーカ制御装置の電源がオフ状態からオン状態に変化した場合、内部スピーカと外部スピーカとの何れか一方からのみ音を出力させる映像音出力装置と、外部スピーカ制御装置とを提供することを目的とする。
【００１０】
また、本発明は、映像音出力装置の電源がオフ状態からオン状態に変化した場合、内部スピーカと外部スピーカとの何れか一方からのみ音を出力させるための映像音出力装置を提供することを目的とする。
【課題を解決するための手段】
【００１１】
上記課題を解決し上記目的を達成するために、本発明の映像音出力装置は、映像及び音を出力する装置であって、音を出力する内部スピーカと、情報を保持する保持手段と、前記映像音出力装置外部から指示を受け付ける受付手段と、前記受付手段が受け付ける音の出力形態を特定する形態特定指示に基づいて、複数の音出力形態の何れか一つを示す情報を前記保持手段に保持させる管理手段と、前記映像音出力装置外部のスピーカである外部スピーカを制御する外部スピーカ制御装置から指示を受信する受信手段と、前記受信手段が音出力形態を示す情報を出力することを要求する指示を前記外部スピーカ制御装置から受信した場合、前記保持手段に保持されている音出力形態を示す情報を前記外部スピーカ制御装置に出力する出力手段とを備える。
【００１２】
本発明の外部スピーカ制御装置は、映像音出力装置外部のスピーカである外部スピーカを制御する装置であって、前記外部スピーカ制御装置の電源のオフ状態からオン状態への変化を検出する検出手段と、前記検出手段が前記電源がオフ状態からオン状態に変化したことを検出した場合、音出力形態を示す情報を出力することを要求する指示を前記映像音出力装置に出力する出力手段と、情報を前記映像音出力装置から受信する受信手段と、前記受信手段が受信する音出力形態を示す情報に基づいて、前記外部スピーカからの音の出力を制御する制御手段とを備える。
【００１３】
このように、本発明の外部スピーカ制御装置は、電源がオフ状態からオン状態へ変化した場合、音出力形態を示す情報を出力することを要求する指示を映像音出力装置に出力し、映像音出力装置から音出力形態を示す情報を受信し、その情報に基づいて、外部スピーカからの音の出力を制御する。これにより、音は内部スピーカと外部スピーカとの何れか一方からのみ出力される。
【００１４】
本発明の映像音出力装置において、例えば、前記管理手段は、前記形態特定指示に基づいて、（ａ）音を前記内部スピーカから出力させる第１の音出力形態を示す情報と、（ｂ）音を前記外部スピーカから出力させる第２の音出力形態を示す情報との何れか一つを、前記保持手段に保持させる。
【００１５】
本発明の映像音出力装置は、更に、（ａ）音を前記内部スピーカから出力させる第１の音出力形態を示す情報が前記保持手段に保持されている場合、前記内部スピーカから音を出力させ、（ｂ）音を前記外部スピーカから出力させる第２の音出力形態を示す情報が前記保持手段に保持されている場合、前記内部スピーカから音を出力させない制御手段を備えてもよい。
【００１６】
本発明の映像音出力装置は、更に、前記映像音出力装置の電源と前記外部スピーカ制御装置の電源とが同時にオフ状態からオン状態へ変化したことを検出する検出手段を備え、前記出力手段は、前記検出手段が前記映像音出力装置の電源と前記外部スピーカ制御装置の電源とが同時にオフ状態からオン状態に変化したことを検出した場合、前記保持手段に保持されている前記音出力形態を示す情報を、前記映像音出力装置外部のスピーカを制御する外部スピーカ制御装置に出力してもよい。
【００１７】
本発明の映像音出力装置は、更に、前記映像音出力装置の音出力の状態が変更されたことを検出する検出手段を備え、前記制御手段は、前記検出手段が前記映像音出力装置の音出力の状態が変更されたことを検出した場合、（ａ）音を前記内部スピーカから出力させる第１の音出力形態を示す情報が前記保持手段に保持されているとき、前記内部スピーカから音を出力させ、（ｂ）音を前記外部スピーカから出力させる第２の音出力形態を示す情報が前記保持手段に保持されているとき、前記内部スピーカから音を出力させなくてもよい。
【００１８】
本発明の映像音出力装置において、前記受付手段は、前記内部スピーカから音が出力されない状態にするための指示である消音指示、または前記内部スピーカから音が出力されない状態を解除するための指示である消音解除指示を受け付けなくてもよい。
【００１９】
また、本発明の外部スピーカ制御装置において、例えば、前記制御手段は、（ａ）前記受信手段が音を前記映像音出力装置内部のスピーカから出力させる第１の音出力形態を示す情報を受信した場合、前記外部スピーカから音を出力させず、（ｂ）前記受信手段が音を前記外部スピーカから出力させる第２の音出力形態を示す情報を受信した場合、前記外部スピーカから音を出力させる。
【００２０】
本発明の外部スピーカ制御装置において、前記検出手段は、前記映像音出力装置の電源と前記外部スピーカ制御装置の電源とが同時にオフ状態からオン状態へ変化したことを検出し、前記出力手段は、前記検出手段が前記映像音出力装置の電源と前記外部スピーカ制御装置の電源とが同時にオフ状態からオン状態に変化したことを検出した場合、音出力形態を示す情報を出力することを要求する指示を前記映像音出力装置に出力しなくてもよい。
【００２１】
本発明の外部スピーカ制御装置において、前記検出手段は、前記外部スピーカ制御装置の音出力の状態が変更されたことを検出し、前記出力手段は、前記検出手段が前記外部スピーカ制御装置の音出力の状態が変更されたことを検出した場合、音出力形態を示す情報を出力することを要求する指示を前記映像音出力装置に出力してもよい。
【００２２】
本発明の外部スピーカ制御装置は、更に、前記外部スピーカ制御装置外部から指示を受け付ける受付手段を備え、前記受付手段は、前記外部スピーカから音が出力されない状態にするための指示である消音指示、または前記外部スピーカから音が出力されない状態を解除するための指示である消音解除指示を受け付けなくてもよい。
【００２３】
本発明は、本発明の映像音出力装置の特徴的な構成手段をステップとする方法として実現したり、それらのステップをコンピュータに実行させるプログラムとして実現したり、上記特徴的な構成手段を含む集積回路として実現することもできる。また、本発明は、本発明の外部スピーカ制御装置の特徴的な構成手段をステップとする方法として実現したり、それらのステップをコンピュータに実行させるプログラムとして実現したり、上記特徴的な構成手段を含む集積回路として実現することもできる。上記のプログラムは、ＣＤ−ＲＯＭ等の記録媒体や通信ネットワーク等の伝送媒体を介して流通させることもできる。
【発明の効果】
【００２４】
本発明は、映像音出力装置外部のスピーカである外部スピーカを制御する外部スピーカ制御装置の電源がオフ状態からオン状態に変化した場合、内部スピーカと外部スピーカとの何れか一方からのみ音を出力させる映像音出力装置と、外部スピーカ制御装置とを提供することができる。
【００２５】
本発明によれば、映像音出力装置と外部スピーカ制御装置の音の出力状態の切換を、映像音出力装置に対して操作することのみで行なうことができるので、音の出力状態の切換操作を簡易化し、ユーザの使い勝手を向上させることができる。
【００２６】
また、映像音出力装置と外部スピーカ制御装置の両方から音が出力されている状態や、両方が消音されている状態でも、音の出力状態を所望の状態に復帰させることができるので、音の出力状態の切換操作を簡易化し、ユーザの使い勝手を向上させることができる。
【００２７】
また、本発明は、映像音出力装置の電源がオフ状態からオン状態に変化した場合、内部スピーカと外部スピーカとの何れか一方からのみ音を出力させるための映像音出力装置を提供することができる。
【発明を実施するための最良の形態】
【００２８】
以下に、本発明の実施の形態について、図面を参照しながら説明する。
図１は、実施の形態におけるシステムの構成を示す図である。本実施の形態のシステムは、テレビ１と、アンプ２と、外部スピーカ３とで構成されている。テレビ１は、放送波を受信して映像及び音を出力する装置であって、本発明の映像音出力装置の一例である。
アンプ２は、テレビ１から入力される信号を増幅して外部スピーカ３に出力する装置であって、本発明の外部スピーカ制御装置の一例である。外部スピーカ３は、アンプ２からの音信号に基づく音を出力する機器である。
【００２９】
テレビ１とアンプ２とは、Ｈｉｇｈ  Ｄｅｆｉｎｉｔｉｏｎ  Ｍｕｌｔｉｍｅｄｉａ  Ｉｎｔｅｒｆａｃｅ（ＨＤＭＩ）ケーブルで接続されており、アンプ２から出力される映像信号及び音信号は、テレビ１へ入力される。
【００３０】
更に、テレビ１とアンプ２とは、光ケーブルでも接続されており、テレビ１から出力される音信号はアンプ２へ入力される。
【００３１】
また、ＨＤＭＩケーブルで接続されたテレビ１とアンプ２とは、相互に、Ｃｏｎｓｕｍｅｒ  Ｅｌｅｃｔｒｏｎｉｃｓ  Ｃｏｎｔｒｏｌ（ＣＥＣ）を介して、ＣＥＣコマンドを送受信することができる。
【００３２】
図２は実施の形態におけるテレビ１の構成を示すブロック図である。
図２に示すように、テレビ１は、メモリ１０１と、リモコン受信部１０２と、マイコン１０３と、ＨＤＭＩ／ＣＥＣ通信部１０４と、チューナ１０５と、デコーダ１０６と、ディスプレイ１０７と、内部スピーカ１０８と、外部出力部１０９とで構成されている。メモリ１０１にはモードフラグ１１０が格納されている。
【００３３】
テレビ１は、リモートコントロール（以下、「テレビ用リモコン」という）で操作される。
【００３４】
リモコン受信部１０２がテレビ用リモコン（図示せず）からのコマンドを受信すると、マイコン１０３は受信されたコマンドに応じた処理を行なう。例えば、マイコン１０３は、チューナ１０５の選局切換や、デコーダ１０６の入出力切換を行なう。デコーダ１０６は、チューナ１０５やＨＤＭＩ／ＣＥＣ通信部１０４から入力された映像信号及び音信号をマイコン１０３の指示に応じて、ディスプレイ１０７と、内部スピーカ１０８又は外部出力部１０９とに出力する。
【００３５】
メモリ１０１は本発明の映像音出力装置の保持手段の一例であり、リモコン受信部１０２は本発明の映像音出力装置の受付手段の一例である。マイコン１０３は本発明の映像音出力装置の管理手段及び制御手段の一例であり、ＨＤＭＩ／ＣＥＣ通信部１０４は本発明の映像音出力装置の受信手段及び出力手段の一例である。
【００３６】
図３は実施の形態におけるアンプ２の構成を示すブロック図である。
図３に示すように、アンプ２は、ＨＤＭＩ／ＣＥＣ通信部２０１と、マイコン２０２と、ＨＤＭＩ／ＣＥＣ通信部２０３と、セレクタ２０４と、外部信号入力部２０５と、スピーカ出力部２０６とで構成されている。
【００３７】
マイコン２０２は、ＨＤＭＩ／ＣＥＣ通信部２０１又はＨＤＭＩ／ＣＥＣ通信部２０３により受信されたＣＥＣコマンドに応じた処理を行なう。例えば、マイコン２０２は、セレクタ２０４の入出力切換を行なう。セレクタ２０４は、ＨＤＭＩ／ＣＥＣ通信部２０３から入力された映像信号及び音信号や、外部信号入力部２０５から入力された音信号をマイコン２０２の指示に応じて、ＨＤＭＩ／ＣＥＣ通信部２０１又はスピーカ出力部２０６に出力する。
【００３８】
マイコン２０２は本発明の外部スピーカ制御装置の検出手段及び制御手段の一例であり、ＨＤＭＩ／ＣＥＣ通信部２０１は本発明の外部スピーカ制御装置の出力手段及び受信手段の一例である。
【００３９】
図１のシステムにおいて、外部スピーカ３は図３におけるスピーカ出力部２０６とスピーカケーブルで接続されている。また、図３におけるＨＤＭＩ／ＣＥＣ通信部２０１は、図２におけるＨＤＭＩ／ＣＥＣ通信部１０４とＨＤＭＩケーブルで接続されており、図３における外部信号入力部２０５は、図２における外部出力部１０９と光ケーブルで接続されている。
【００４０】
図４は実施の形態のテレビ１に表示されるメニュー画面を示す図である。
図４に示すように、メニュー画面には、ユーザが選択可能で、選択することによりテレビ１の操作が可能な項目が表示される。メニュー画面には、ユーザの選択によってテレビモードとシアターモードとを切り換えることが可能な項目（図４では「モード切換」という名称の項目）が表示される。
【００４１】
（モードの定義）
テレビ１のマイコン１０３で管理されるテレビモードとシアターモードとについて説明する。本実施の形態では、テレビ１の内部スピーカ１０８から出力される音の消音状態が解除され、アンプ２に接続された外部スピーカ３から出力される音が消されている状態を「テレビモード」と定義する。それに対して、テレビ１の内部スピーカ１０８から出力される音が消され、アンプ２に接続された外部スピーカ３から出力される音の消音状態が解除されている状態を「シアターモード」と定義する。
【００４２】
（モードの切り換え／テレビモードからシアターモードへの切り換え）
テレビ１のメモリ１０１に格納されているモードフラグ１１０をテレビモードからシアターモードへ切り換える際の処理の流れを説明する。
【００４３】
メモリ１０１に格納されているモードフラグ１１０がテレビモードを示す場合、マイコン１０３は、チューナ１０５により受信された映像信号をディスプレイ１０７に出力し、チューナ１０５により受信された音信号を内部スピーカ１０８及び外部出力部１０９に出力する。よって、テレビ１の内部スピーカ１０８からは音が出力される。
【００４４】
また、アンプ２は、テレビ１の外部出力部１０９と接続されている外部信号入力部２０５から入力され、スピーカ出力部２０６に出力される音信号を消している。よって、アンプ２に接続されている外部スピーカ３からは音は出力されない。
【００４５】
このような状態で、ユーザが、テレビ用リモコンを用いる等をして、テレビ１のディスプレイ１０７にメモリ１０１が保持しているメニューを表示させ、テレビ１のメモリ１０１に記録されているモードフラグ１１０を変更するためのメニュー項目（「モード切換」）を選択すると、テレビ１のマイコン１０３は、選択されたメニュー項目を解析し、メモリ１０１に記録されているモードフラグ１１０を変更する。すなわち、マイコン１０３は、メモリ１０１に記録されているモードフラグ１１０をテレビモードからシアターモードへ変更する。
【００４６】
次に、マイコン１０３は、デコーダ１０６に対して、内部スピーカ１０８からの音を消すことを指示する。
【００４７】
デコーダ１０６は、マイコン１０３から内部スピーカ１０８からの音を消すことを指示されると、内部スピーカ１０８からの音を消す。
【００４８】
よって、テレビ１の内部スピーカ１０８からは音は出力されなくなる。
また、マイコン１０３は、ＨＤＭＩ／ＣＥＣ通信部１０４を介して、テレビ１のメモリ１０１に記録されているモードフラグ１１０がテレビモードからシアターモードに変更されたことを示すＣＥＣコマンドをアンプ２へ送信する。
【００４９】
アンプ２では、テレビ１のＨＤＭＩ／ＣＥＣ通信部１０４と接続されているＨＤＭＩ／ＣＥＣ通信部２０１がテレビ１からのＣＥＣコマンドを受信する。
【００５０】
マイコン２０２は、ＨＤＭＩ／ＣＥＣ通信部２０１により受信されたＣＥＣコマンドを解析し、そのＣＥＣコマンドがテレビ１のメモリ１０１に記録されているモードフラグ１１０がテレビモードからシアターモードに変更されたことを示すコマンドであるので、セレクタ２０４に対し、外部信号入力部２０５から入力されている音信号をスピーカ出力部２０６へ出力するように指示する。
【００５１】
セレクタ２０４は、マイコン２０２から外部信号入力部２０５から入力されている音信号をスピーカ出力部２０６へ出力することを指示されると、スピーカ出力部２０６へ音信号を出力する。
【００５２】
よって、外部スピーカ３から音が出力されるようになる。
【００５３】
（モードの切り換え／シアターモードからテレビモードへの切り換え）
次に、テレビ１のメモリ１０１に格納されているモードフラグ１１０をシアターモードからテレビモードへ切り換える際の処理の流れを説明する。
【００５４】
メモリ１０１に格納されているモードフラグ１１０がシアターモードを示す場合、マイコン１０３は、チューナ１０５により受信された映像信号をディスプレイ１０７に出力し、チューナ１０５により受信された音信号に基づく音を内部スピーカ１０８からは出力させず、受信された音信号を外部出力部１０９に出力する。よって、テレビ１の内部スピーカ１０８からは音は出力されない。
【００５５】
また、アンプ２は、テレビ１の外部出力部１０９と接続されている外部信号入力部２０５から入力され、スピーカ出力部２０６に出力される音信号を出力する。よって、アンプ２に接続されている外部スピーカ３から音が出力される。
【００５６】
このような状態で、ユーザが、テレビ用リモコンを用いる等をして、テレビ１のディスプレイ１０７にメモリ１０１が保持しているメニューを表示させ、テレビ１のメモリ１０１に記録されているモードフラグ１１０を変更するためのメニュー項目（「モード切換」）を選択すると、テレビ１のマイコン１０３は、選択されたメニュー項目を解析し、メモリ１０１に記録されているモードフラグ１１０を変更する。すなわち、マイコン１０３は、メモリ１０１に記録されているモードフラグ１１０をシアターモードからテレビモードへ変更する。
【００５７】
次に、マイコン１０３は、デコーダ１０６に対して、音を出力していない内部スピーカ１０８から音を出力させることを指示する。
【００５８】
デコーダ１０６は、マイコン１０３から音を出力していない内部スピーカ１０８から音を出力させる。
【００５９】
よって、テレビ１の内部スピーカ１０８から音が出力されるようになる。
また、マイコン１０３は、ＨＤＭＩ／ＣＥＣ通信部１０４を介して、テレビ１のメモリ１０１に記録されているモードフラグ１１０がテレビモードからシアターモードに変更されたことを示すＣＥＣコマンドをアンプ２へ送信する。
【００６０】
アンプ２では、テレビ１のＨＤＭＩ／ＣＥＣ通信部１０４と接続されているＨＤＭＩ／ＣＥＣ通信部２０１がテレビ１からのＣＥＣコマンドを受信する。
【００６１】
マイコン２０２は、ＨＤＭＩ／ＣＥＣ通信部２０１により受信されたＣＥＣコマンドを解析し、そのＣＥＣコマンドがテレビ１のメモリ１０１に記録されているモードフラグ１１０がシアターモードからテレビモードに変更されたことを示すコマンドであるので、セレクタ２０４に対し、外部信号入力部２０５から入力され、スピーカ出力部２０６から出力されている音信号に基づく音が出力されないように指示する。
【００６２】
セレクタ２０４は、マイコン２０２から外部信号入力部２０５から入力されている音信号をスピーカ出力部２０６へ出力しないことを指示されると、スピーカ出力部２０６から音信号が出力されないようにする。
【００６３】
よって、外部スピーカ３から音が出力されないようになる。
次に、テレビ１及び／又はアンプ２の電源が一度オフされた後に再びオンされたり、ユーザがテレビ１及び／又はアンプ２の本体ボタン又はリモコンボタン等を用いて誤った操作をしたりしたために、テレビ１の内部スピーカ１０８及び外部スピーカ３から音が出力される状態になった場合や、逆に、内部スピーカ１０８及び外部スピーカ３のどちらからも音が出力されない状態になった場合に、ユーザが所望するスピーカのみから音が出力される状態に復帰させる方法を説明する。
【００６４】
（実施の形態１）
実施の形態１では、図１に示すシステムにおいて、ユーザがアンプ２の本体ボタン若しくはリモコンボタンを用いて電源をオフし、その後、再び電源をオンするか、又は、アンプ２に供給されている電源が何らかの原因で切断されて電源がオフされ、その後、再び電源の供給が再開され、アンプ２の電源がオンされるか、又は、その他の原因で、アンプ２の電源がオフされ、その後、再びアンプ２の電源がオンされた場合、アンプ２は、電源投入直後には、外部スピーカ３から音を出力させる仕様になっているときに、外部スピーカ３から出力されている音の出力状態を変更する処理の流れを説明する。
【００６５】
まず、アンプ２のマイコン２０２は、電源が投入されると、電源がオフ状態からオン状態に変化したことを検出し、ＨＤＭＩ／ＣＥＣ通信部２０１を介して、アンプ２に接続されているテレビ１に対して、テレビ１のメモリ１０１に記録されているモードフラグ１１０が、テレビモードであるのか、シアターモードであるのかを示す情報を通知することを要求するＣＥＣコマンドを送信する。
【００６６】
ＨＤＭＩ／ＣＥＣ通信部１０４がアンプ２のＨＤＭＩ／ＣＥＣ通信部２０１から、メモリ１０１に記録されているモードフラグ１１０が示すモード情報を通知ことを要求するＣＥＣコマンドを受信すると、テレビ１のマイコン１０３は、メモリ１０１に記録されているモードフラグ１１０が示すモード情報を送信するＣＥＣコマンドを、ＨＤＭＩ／ＣＥＣ通信部１０４を介してアンプ２に送信する。
【００６７】
アンプ２のマイコン２０２は、ＨＤＭＩ／ＣＥＣ通信部２０１が受信したＣＥＣコマンドを解析し、モードフラグ１１０がテレビモードを示す場合、セレクタ２０４に対し、外部信号入力部２０５から入力され、スピーカ出力部２０６から出力されていた音信号を出力しないように指示する。
【００６８】
セレクタ２０４は、マイコン２０２から外部信号入力部２０５から入力されている音信号をスピーカ出力部２０６へ出力しないことを指示されると、スピーカ出力部２０６へ音信号を出力しない。
【００６９】
よって、外部スピーカ３からは音が出力されないようになる。
また、モードフラグ１１０がシアターモードを示す場合、アンプ２のマイコン２０２は、セレクタ２０４に対し、外部信号入力部２０５から入力され、スピーカ出力部２０６から出力されていた音信号を出力するように指示する。
【００７０】
この場合、外部スピーカ３からは、音が出力されているので、音出力状態は変化しない。
【００７１】
このように、実施の形態１においては、アンプ２は、自身の電源投入直後に、テレビ１が記録しているモードフラグ１１０に応じて音の出力形態を確認し、必要であれば音の出力状態を変更することで、テレビ１の内部スピーカ１０８と、外部スピーカ３との両方が消音されたり、両方から音が出力されたりするという状態にならないようにすることができる。
【００７２】
（実施の形態２）
実施の形態２では、ユーザがテレビ１の本体ボタン若しくはリモコンボタンを用いて電源をオフし、その後、再び電源をオンするか、又は、テレビ１に供給されている電源が何らかの原因で切断されて電源がオフされ、その後、再び電源の供給が再開され、テレビ１の電源がオンされるか、又は、その他の原因で、テレビ１の電源がオフされ、その後、再びテレビ１の電源がオンされた場合で、テレビ１は電源投入直後には、内部スピーカ１０８から音を出力する仕様になっているとき、内部スピーカ１０８から出力されている音の出力状態を変更する処理の流れを説明する。
【００７３】
まず、テレビ１のマイコン１０３は、電源が投入されると、電源がオフ状態からオン状態に変化したことを検出し、メモリ１０１に記録されているモードフラグ１１０を解析する。なお、マイコン１０３は、本発明の映像音出力装置の検出手段の一例でもある。
【００７４】
マイコン１０３は、解析したモードフラグ１１０がテレビモードを示す場合、デコーダ１０６に対して、内部スピーカ１０８から音を出力することを指示する。
【００７５】
デコーダ１０６は、マイコン１０３から内部スピーカ１０８から音を出力することを指示されると、内部スピーカ１０８から音を出力させる。
【００７６】
よって、テレビ１の内部スピーカ１０８からは音が出力される。
この場合、内部スピーカ１０８からは音が既に出力されているので、テレビ１の音出力状態は変化しない。
【００７７】
また、マイコン１０３は、解析したモードフラグ１１０がシアターモードを示す場合、デコーダ１０６に対して、内部スピーカ１０８から音を出力させないことを指示する。
【００７８】
デコーダ１０６は、マイコン１０３から内部スピーカ１０８から音を出力させないことを指示されると、内部スピーカ１０８からの音を消す。
【００７９】
よって、テレビ１の内部スピーカ１０８からは音は出力されない。
このように、本実施の形態２においては、テレビ１が、自身の電源投入直後に、メモリ１０１に格納されているモードフラグ１１０に応じて音の出力状態を確認し、必要であれば変更することで、テレビ１の内部スピーカ１０８と外部スピーカ３との両方が消音されたり、両方から音が出力されたりするという状態にならないようにすることができる。
【００８０】
なお、実施の形態１及び２では、アンプ２の電源が投入された場合、及びテレビ１の電源が投入された場合について説明した。テレビ１とアンプ２の電源が同時に投入された場合、まず、テレビ１が、メモリ１０１に記録されているモードフラグ１１０を基に内部スピーカ１０８から出力される音の状態を確認し、必要に応じて変更し、次に、アンプ２が、テレビ１より受信したモードフラグ１１０を基に、外部スピーカ３から出力される音の状態を確認し、必要に応じて変更する。これにより、テレビ１とアンプ２の電源が同時に投入されて、両方のスピーカから音が出力されている状態になった場合、テレビ１が記録しているモードフラグ１１０に基づいて音の出力状態を変更し、テレビ１とアンプ２の電源が切断される以前の状態に簡単に復帰することが可能である。
【００８１】
また、実施の形態１及び２では、テレビ１及びアンプ２は、自身が電源投入された時に、テレビ１のメモリに記録されているモードに応じて、自身の音出力の状態を確認し、必要に応じて変更する。しかしながら、テレビ１及びアンプ２は、電源投入時にかかわらず、自身の音出力の状態が何らかの原因やユーザの操作によって変更された場合や、適切なタイミングにおいて、テレビ１のメモリ１０１に記録されているモードに応じて、自身の音出力の状態を確認し、必要に応じて変更してもよい。
【００８２】
これにより、ユーザが、テレビ１の内部スピーカ１０８及び外部スピーカ３から音が出力されないという状態を想定していないのに、モードを変更せずに音の出力形態を変更する操作、つまり、消音や消音解除の操作を、テレビ１及び／又はアンプ２の本体ボタン又はリモコンボタン等を用いて行なった場合、特に、音が出力されている装置の消音操作を行なった場合で、テレビ１の内部スピーカ１０８及び外部スピーカ３の両方が消音され、テレビ１の内部スピーカ１０８及び外部スピーカ３の両方から音が出力されなくなった場合でも、テレビ１のメモリ１０１に格納されているモードに応じて、音の出力形態を確認し、必要に応じて変更することにより、ユーザがテレビモード又はシアターモードに簡単に戻すことが可能である。
【００８３】
また、上記のように、ユーザが、テレビ１の内部スピーカ１０８及び外部スピーカ３の両方から音が出力されないという状態を想定していない場合、テレビ１及び／又はアンプ２の本体ボタン又はリモコンボタンを用いて、テレビ１の内部スピーカ１０８及び外部スピーカ３の両方から音が出力されないという状態にならないように操作してもよい。更に、ユーザが、テレビ１の内部スピーカ１０８及び外部スピーカ３の両方から音が出力されないという状態を想定していない場合には、音の出力状態を変更する操作、つまり、消音や消音解除の操作を使用停止に設定できるような機能をテレビ１及びアンプ２に持たせてもよい。
【００８４】
消音や消音解除の操作を使用停止に設定できる機能は、図１に示すシステムを構築する際、つまり、テレビ１とアンプ２とをＨＤＭＩケーブルで接続した時や、テレビ１とアンプ２とをＨＤＭＩケーブルで接続した後、テレビ１とアンプ２の電源を投入した時等に、テレビ１が、自身の消音や消音解除の操作を使用停止に設定し、更に、ＨＤＭＩケーブルで接続されているアンプ２に対して、アンプ２が保持している消音や消音解除の操作を使用停止に設定してもよいし、ユーザが、テレビ１が保持する設定メニュー等の選択項目を選択することで設定できるようにしてもよい。
【００８５】
なお、本実施の形態のシステムにおいて、テレビ１の内部スピーカ１０８及び外部スピーカ３の両方から音が出力されている状態や、また、テレビ１の内部スピーカ１０８及び外部スピーカ３の両方が消音されている状態において、ユーザが、テレビ１が保持するメニュー画面を表示させて操作し、「モード切換」を選択することでテレビモード又はシアターモードに再設定することにより、テレビ１の内部スピーカ１０８及び外部スピーカ３の両方から音が出力されている状態や、テレビ１の内部スピーカ１０８及び外部スピーカ３の両方が消音されている状態から回避し、所望の音出力状態に復帰できることは自明である。
【産業上の利用可能性】
【００８６】
本発明の映像音出力装置はテレビ等として有用であり、本発明の外部スピーカ制御装置はアンプ等として有用である。
【図面の簡単な説明】
【００８７】
【図１】実施の形態におけるシステムの構成を示す図である。
【図２】実施の形態におけるテレビ１の構成を示すブロック図である。
【図３】実施の形態におけるアンプ２の構成を示すブロック図である。
【図４】実施の形態のテレビ１に表示されるメニュー画面を示す図である。
【図５】本発明の先行例となるＡＶアンプのブロック図である。
【符号の説明】
【００８８】
１  テレビ
２  アンプ
３  外部スピーカ
１０１  メモリ
１０２  リモコン受信部
１０３  マイコン
１０４  ＨＤＭＩ／ＣＥＣ通信部
１０５  チューナ
１０６  デコーダ
１０７  ディスプレイ
１０８  内部スピーカ
１０９  外部出力部
１１０  モードフラグ
２０１  ＨＤＭＩ／ＣＥＣ通信部
２０２  マイコン
２０３  ＨＤＭＩ／ＣＥＣ通信部
２０４  セレクタ
２０５  外部信号入力部
２０６  スピーカ出力部
【図１】
2008061251.tif 000003
【図２】
2008061251.tif 000004
【図３】
2008061251.tif 000005
【図４】
2008061251.tif 000006
【図５】
2008061251.tif 000007